(57)【特許請求の範囲】
【請求項１】
押圧操作により押圧操作方向に沿って移動せしめられるとともに、上記押圧操作方向に実質的に直交する方向の変位操作により変位操作方向に沿って移動せしめられる可動操作部と、
該可動操作部に関連して配されて回路部に接続され、上記可動操作部の上記押圧操作方向に沿う移動及び上記可動操作部の上記変位操作方向に沿う移動により夫々オン・オフ制御されて上記回路部に状態変化を生じさせる複数のスイッチ部と、
を備え、
上記複数のスイッチ部が第１，第２及び第３のスイッチ部を含み、上記第１のスイッチ部が、上記可動操作部が押圧操作されたときオン状態もしくはオフ状態とされるとともに、上記可動操作部に対する押圧操作が解除されたときオフ状態もしくはオン状態とされ、上記第２のスイッチ部が、上記可動操作部が変位操作されたときオン状態もしくはオフ状態とされるとともに、上記可動操作部に対する変位操作が解除されたときオフ状態もしくはオン状態とされ、さらに、上記第３のスイッチ部が、上記可動操作部が押圧操作されたもとで変位操作されたときオン状態もしくはオフ状態とされるとともに、上記可動操作部に対する押圧操作されたもとでの変位操作が解除されたときオフ状態もしくはオン状態とされることを特徴とする多機能操作装置。
【請求項２】
上記可動操作部が、該可動操作部についての基準位置が設定されていて、押圧操作もしくは変位操作が解除されるとき、上記基準位置に復帰することを特徴とする請求項１記載の多機能操作装置。
【請求項３】
上記複数のスイッチ部が、第１，第２及び第３のスイッチ部に加えて第４のスイッチ部を含み、上記第１のスイッチ部が、上記可動操作部が押圧操作されたときオン状態もしくはオフ状態とされるとともに、上記可動操作部に対する押圧操作が解除されたときオフ状態もしくはオン状態とされ、上記第２のスイッチ部が、上記可動操作部が第１の向きに変位操作されたときオン状態もしくはオフ状態とされるとともに、上記可動操作部に対する上記第１の向きの変位操作が解除されたときオフ状態もしくはオン状態とされ、上記第３のスイッチ部が、上記可動操作部が押圧操作されたもとで変位操作されたときオン状態もしくはオフ状態とされるとともに、上記可動操作部に対する押圧操作されたもとでの変位操作が解除されたときオフ状態もしくはオン状態とされ、さらに、上記第４のスイッチ部が、上記可動操作部が上記第１の向きとは反対の第２の向きに変位操作されたときオン状態もしくはオフ状態とされるとともに、上記可動操作部に対する上記第２の向きの変位操作が解除されたときオフ状態もしくはオン状態とされることを特徴とする請求項１または２記載の多機能操作装置。
【請求項４】
上記複数のスイッチ部が、第１，第２及び第３のスイッチ部に加えて第４及び第５のスイッチ部を含み、上記第１のスイッチ部が、上記可動操作部が押圧操作されたときオン状態もしくはオフ状態とされるとともに、上記可動操作部に対する押圧操作が解除されたときオフ状態もしくはオン状態とされ、上記第２のスイッチ部が、上記可動操作部が第１の向きに変位操作されたときオン状態もしくはオフ状態とされるとともに、上記可動操作部に対する上記第１の向きの変位操作が解除されたときオフ状態もしくはオン状態とされ、上記第３のスイッチ部が、上記可動操作部が押圧操作されたもとで上記第１の向きに変位操作されたときオン状態もしくはオフ状態とされるとともに、上記可動操作部に対する押圧操作されたもとでの上記第１の向きの変位操作が解除されたときオフ状態もしくはオン状態とされ、上記第４のスイッチ部が、上記可動操作部が上記第１の向きとは反対の第２の向きに変位操作されたときオン状態もしくはオフ状態とされるとともに、上記可動操作部に対する上記第２の向きの変位操作が解除されたときオフ状態もしくはオン状態とされ、さらに、上記第５のスイッチ部が、上記可動操作部が押圧操作されたもとで上記第２の向きに変位操作されたときオン状態もしくはオフ状態とされるとともに、上記可動操作部に対する押圧操作されたもとでの上記第２の向きの変位操作が解除されたときオフ状態もしくはオン状態とされることを特徴とする請求項１または２記載の多機能操作装置。
【発明の詳細な説明】
【０００１】
【発明の属する技術分野】
本願に係る発明は、回路部に接続された複数のスイッチの夫々についてのオン・オフ制御を、複数のスイッチに関連して配された可動操作部に対する操作に応じて行う多機能操作装置に関する。
【０００２】
【従来の技術】
ビデオテープレコーダ（ＶＴＲ）もしくはＶＴＲに対する遠隔制御操作部（リモートコントロール・コマンダ）等の電子機器の分野においては、記録動作モード選択スイッチ，再生動作モード選択スイッチ，早送り動作モード選択スイッチ，巻戻し動作モード選択スイッチ，音量調節スイッチ等々の、当該電子機器に各種機能を果たさせるための複数のスイッチが設けられるとともにそれら複数のスイッチの夫々にオン状態及びオフ状態を選択的にとらせるオン・オフ制御を行うための操作部が備えられる。そして、これらの複数のスイッチ及び操作部は、電子機器に、それに複数の機能を選択的に果たさせる操作がなされるものとして、付随せしめられる多機能操作装置を形成している。
【０００３】
このような多機能操作装置であって従来提案されているものにおいては、通常、複数のスイッチの夫々に対応して１個の可動操作部（例えば、操作釦とされる）が設けられている。即ち、複数のスイッチの数と同数の可動操作部が設けられていることになる。従って、多機能化が図られることによりスイッチの数が増加するに伴って可動操作部の数が増し、可動操作部が占める場所が増大する。
【０００４】
それゆえ、各可動操作部が配される電子機器の部位が制限されることになり、その結果、複数の可動操作部の配置態様が乱雑になって、その都度、電子機器に望まれる機能を果たさせるための可動操作部を見つけ出すに手間取ることになり、かつ、各可動操作部が、操作性が良好でなく、操作し難いものとされてしまう虞がある。
【０００５】
そこで、電子機器に複数の機能を選択的に果たさせる操作を、１個の可動操作部を用いて行うことができるようにした多機能操作装置も提案されている。このような多機能操作装置が設けれられる場合には、可動操作部の数が著しく低減せしめられる。
【０００６】
【発明が解決しようとする課題】
しかしながら、従来提案されている、電子機器に複数の機能を選択的に果たさせる操作を１個の可動操作部を用いて行うことができるようにした多機能操作装置にあっては、予め用意された複数とおりの可動操作部の繰返し操作回数が、電子機器についての複数の機能に夫々割り当てられるのが一般的である。即ち、電子機器に所望の機能を果たさせるに際しては、その所望の機能に対応せしめられた回数だけ可動操作部を繰返し操作するようにされるのである。
【０００７】
それゆえ、このような多機能操作装置が設けられたもとでは、各操作者は、電子機器についての複数の機能と複数とおりの可動操作部の繰返し操作回数との関係を記憶していなくてはならず、また、その都度、設定された回数だけの可動操作部の繰返し操作を正確に実行しなくてはならない。このことは、可動操作部に対する誤操作の機会がまねかれ易いことになるとともに、複数のスイッチの夫々に対応して１個の可動操作部が備えられる多機能操作装置の場合に比して、可動操作部に対する操作が煩わしいものとされるという不都合につながる。また、それに加えて、可動操作部に対する繰返し操作を連続的に行うにあたっては、可動操作部に対する操作及び可動操作部に対する操作解除を交互に行う適切なタイミングを習得しなければならないことになる。
【０００８】
斯かる点に鑑み、本願の特許請求の範囲における請求項１から請求項４までのいずれかに記載された発明は、例えば、電子機器に複数の機能を選択的に行わせる回路部に接続された複数のスイッチ部の夫々に対するオン・オフ制御を、１個の可動操作部を用いて行うことができ、しかも、可動操作部を予め設定された回数だけ繰返し操作することが要されず、可動操作部に対する誤操作を生じ難い比較的簡単な操作により、複数のスイッチ部の夫々にオン状態とオフ状態とを選択的にとる動作を的確に行わせることができる多機能操作装置を提供する。
【０００９】
特に、本願の特許請求の範囲における請求項３に記載された発明は、１個の可動操作部を用いて少なくとも４個のスイッチ部についてのオン・オフ制御を行うことができる多機能操作装置を提供する。さらに、本願の特許請求の範囲における請求項４に記載された発明は、１個の可動操作部を用いて少なくとも５個のスイッチ部についてのオン・オフ制御を行うことができる多機能操作装置を提供する。
【００１０】
【課題を解決するための手段】
本願の特許請求の範囲における請求項１から請求項４までのいずれかに記載された発明に係る多機能操作装置は、押圧操作により押圧操作方向に沿って移動せしめられるとともに、押圧操作方向に実質的に直交する方向の変位操作により変位操作方向に沿って移動せしめられる可動操作部と、可動操作部に関連して配されて回路部に接続され、可動操作部の押圧操作方向に沿う移動及び可動操作部の変位操作方向に沿う移動により夫々オン・オフ制御されて回路部に状態変化を生じさせる複数のスイッチ部とを備えて構成され、複数のスイッチ部が第１，第２及び第３のスイッチ部を含み、第１のスイッチ部が、可動操作部の押圧操作及び押圧操作の解除に応じてオン状態及びオフ状態もしくはオフ状態及びオン状態を選択的にとり、第２のスイッチ部が、可動操作部の変位操作及び変位操作の解除に応じてオン状態及びオフ状態もしくはオフ状態及びオン状態を選択的にとり、第３のスイッチ部が、可動操作部の押圧操作がなされたもとでの変位操作及び押圧操作がなされたもとでの変位操作の解除に応じてオン状態及びオフ状態もしくはオフ状態及びオン状態を選択的にとるものとされる。
【００１１】
特に、本願の特許請求の範囲における請求項３に記載された発明に係る多機能操作装置は、複数のスイッチ部が、第１，第２及び第３のスイッチ部に加えて第４のスイッチ部を含み、第１のスイッチ部が、可動操作部の押圧操作及び押圧操作の解除に応じてオン状態及びオフ状態もしくはオフ状態及びオン状態を選択的にとり、第２のスイッチ部が、可動操作部の第１の向きの変位操作及び第１の向きの変位操作の解除に応じてオン状態及びオフ状態もしくはオフ状態及びオン状態を選択的にとり、第３のスイッチ部が、可動操作部の押圧操作がなされたもとでの変位操作及び押圧操作がなされたもとでの変位操作の解除に応じてオン状態及びオフ状態もしくはオフ状態及びオン状態を選択的にとり、第４のスイッチ部が、可動操作部の第１の向きとは逆の第２の向きの変位操作及び第２の向きの変位操作の解除に応じてオン状態及びオフ状態もしくはオフ状態及びオン状態を選択的にとるものとされる。
【００１２】
また、本願の特許請求の範囲における請求項４に記載された発明に係る多機能操作装置は、複数のスイッチ部が、第１，第２及び第３のスイッチ部に加えて第４及び第５のスイッチ部を含み、第１のスイッチ部が、可動操作部の押圧操作及び押圧操作の解除に応じてオン状態及びオフ状態もしくはオフ状態及びオン状態を選択的にとり、第２のスイッチ部が、可動操作部の第１の向きの変位操作及び第１の向きの変位操作の解除に応じてオン状態及びオフ状態もしくはオフ状態及びオン状態を選択的にとり、第３のスイッチ部が、可動操作部の押圧操作がなされたもとでの第１の向きの変位操作及び押圧操作がなされたもとでの第１の向きの変位操作の解除に応じてオン状態及びオフ状態もしくはオフ状態及びオン状態を選択的にとり、第４のスイッチ部が、可動操作部の第１の向きとは逆の第２の向きの変位操作及び第２の向きの変位操作の解除に応じてオン状態及びオフ状態もしくはオフ状態及びオン状態を選択的にとり、第５のスイッチ部が、可動操作部の押圧操作がなされたもとでの第２の向きの変位操作及び押圧操作がなされたもとでの第２の向きの変位操作の解除に応じてオン状態及びオフ状態もしくはオフ状態及びオン状態を選択的にとるものとされる。
【００１３】
上述の如くに構成される本願の特許請求の範囲における請求項１から請求項４までのいずれかに記載された発明に係る多機能操作装置にあっては、１個の可動操作部を用いて少なくとも第１，第２及び第３のスイッチ部の夫々についてのオン・オフ制御を行うことができ、第１〜第３のスイッチ部の各々がそれに対するオン・オフ制御に応じて回路部に状態変化を生じさせる。そして、第１〜第３のスイッチ部の夫々についてのオン・オフ制御を行うに際しての１個の可動操作部についての操作は、可動操作部に対する押圧操作と押圧操作方向に実質的に直交する方向への変位操作と押圧操作がなされたもとでの押圧操作方向に実質的に直交する方向への変位操作とで済み、従って、可動操作部に対する誤操作を生じ難い比較的簡単な操作により、第１〜第３のスイッチ部の夫々にオン状態とオフ状態とを選択的にとる動作を的確に行わせることができる。
【００１４】
また、本願の特許請求の範囲における請求項３に記載された発明に係る多機能操作装置にあっては、１個の可動操作部を用いて第１，第２，第３及び第４のスイッチ部の夫々についてのオン・オフ制御を行うことができ、第１〜第４のスイッチ部の各々がそれに対するオン・オフ制御に応じて回路部に状態変化を生じさせる。そして、第１〜第４のスイッチ部の夫々についてのオン・オフ制御を行うに際しての１個の可動操作部についての操作は、可動操作部に対する押圧操作と押圧操作方向に実質的に直交する方向における第１の向きの変位操作と押圧操作方向に実質的に直交する方向における第２の向きの変位操作と押圧操作がなされたもとでの押圧操作方向に実質的に直交する方向への変位操作とで済み、従って、可動操作部に対する誤操作を生じ難い比較的簡単な操作により、第１〜第４のスイッチ部の夫々にオン状態とオフ状態とを選択的にとる動作を的確に行わせることができる。
【００１５】
さらに、本願の特許請求の範囲における請求項４に記載された発明に係る多機能操作装置にあっては、１個の可動操作部を用いて第１，第２，第３，第４及び第５のスイッチ部の夫々についてのオン・オフ制御を行うことができ、第１〜第５のスイッチ部の各々がそれに対するオン・オフ制御に応じて回路部に状態変化を生じさせる。そして、第１〜第５のスイッチ部の夫々についてのオン・オフ制御を行うに際しての１個の可動操作部についての操作は、可動操作部に対する押圧操作と押圧操作方向に実質的に直交する方向における第１の向きの変位操作と押圧操作方向に実質的に直交する方向における第２の向きの変位操作と押圧操作がなされたもとでの押圧操作方向に実質的に直交する方向における第１の向きの変位操作と押圧操作がなされたもとでの押圧操作方向に実質的に直交する方向における第２の向きの変位操作とで済み、従って、可動操作部に対する誤操作を生じ難い比較的簡単な操作により、第１〜第５のスイッチ部の夫々にオン状態とオフ状態とを選択的にとる動作を的確に行わせることができる。
【００１６】
【発明の実施の形態】
図１は、本願の特許請求の範囲における請求項１から請求項４までのいずれかに記載された発明に係る多機能操作装置に関連する多機能操作装置の一例を模型化して示す。斯かる図１に示される例は、例えば、ＶＴＲに対する遠隔制御を行うための遠隔制御操作装置に適用される。
【００１７】
図１に示される例にあっては、可動操作部１１が備えられており、この可動操作部１１は、押圧操作されることによって矢印ＤＰにより示される方向に移動するとともに、押圧操作方向に実質的に直交する方向に変位操作されることによって矢印ＤＳにより示される方向に移動する。即ち、矢印ＤＰは、可動操作部１１についての押圧操作方向を示しており、また、矢印ＤＳは、可動操作部１１についての押圧操作方向に実質的に直交する変位操作方向を示しているのである。
【００１８】
可動操作部１１には、基準位置が設定されていて、図１において実線により示される位置が基準位置である。そして、可動操作部１１は、それに対する押圧操作が行われるとき、基準位置から矢印ＤＰにより示される押圧操作方向に沿って図１におけるＤに向かう向きに移動し、その後、それに対する押圧操作が解除されると、基準位置から移動した位置より矢印ＤＰにより示される押圧操作方向に沿って図１におけるＵに向かう向きに移動して、基準位置に戻る。
【００１９】
さらに、可動操作部１１は、それに対する変位操作が行われるとき、基準位置から矢印ＤＳにより示される変位操作方向に沿って図１におけるＬに向かう向きに移動し、その後、それに対する変位操作が解除されると、基準位置から移動した位置より矢印ＤＳにより示される変位操作方向に沿って図１におけるＲに向かう向きに移動して基準位置に戻る状態と、基準位置から矢印ＤＳにより示される変位操作方向に沿って図１におけるＲに向かう向きに移動し、その後、それに対する変位操作が解除されると、基準位置から移動した位置より矢印ＤＳにより示される変位操作方向に沿って図１におけるＬに向かう向きに移動して基準位置に戻る状態とを、選択的にとる。
【００２０】
また、図１に示される例にあっては、可動操作部１１に関連して配された３個のスイッチ部１２，１３及び１４が備えられている。スイッチ部１２は、一対の固定接点１５Ａ及び１５Ｂと可動接触子１６とを有しており、また、スイッチ部１３は、一対の固定接点１７Ａ及び１７Ｂと可動接触子１８とを有しており、さらに、スイッチ部１４は、一対の固定接点１９Ａ及び１９Ｂと可動接触子２０とを有している。
【００２１】
スイッチ部１２は、可動操作部１１に押圧操作が加えられるとき、図１において一点鎖線により示される如く、押圧操作に応じて基準位置から矢印ＤＰにより示される押圧操作方向に沿って図１におけるＤに向かう向きに移動する可動操作部１１が、一対の固定接点１５Ａ及び１５Ｂから離隔した状態にある可動接触子１６に当接するとともに、可動接触子１６を押圧移動させて、一対の固定接点１５Ａ及び１５Ｂに接触させることになる位置に配されている。そして、一対の固定接点１５Ａ及び１５Ｂに接触せしめられた可動接触子１６は、可動操作部１１に対する押圧操作が解除されて、可動操作部１１が矢印ＤＰにより示される押圧操作方向に沿って図１におけるＵに向かう向きに移動するとき、一対の固定接点１５Ａ及び１５Ｂから離隔する状態に戻される。それにより、スイッチ部１２は、可動操作部１１に押圧操作が加えられるとき、オン状態とされ、可動操作部１１に対する当該押圧操作が解除されるとき、オフ状態とされる。
【００２２】
スイッチ部１３は、可動操作部１１に図１におけるＬに向かう向きの変位操作が加えられるとき、図１において一点鎖線により示される如く、変位操作に応じて基準位置から矢印ＤＳにより示される変位操作方向に沿って図１におけるＬに向かう向きに移動する可動操作部１１が、一対の固定接点１７Ａ及び１７Ｂから離隔した状態にある可動接触子１８に当接するとともに、可動接触子１８を押圧移動させて、一対の固定接点１７Ａ及び１７Ｂに接触させることになる位置に配されている。そして、一対の固定接点１７Ａ及び１７Ｂに接触せしめられた可動接触子１８は、可動操作部１１に対する変位操作が解除されて、可動操作部１１が矢印ＤＳにより示される変位操作方向に沿って図１におけるＲに向かう向きに移動するとき、一対の固定接点１７Ａ及び１７Ｂから離隔する状態に戻される。それにより、スイッチ部１３は、可動操作部１１に対して図１におけるＬに向かう向きの変位操作が加えられるとき、オン状態とされ、可動操作部１１に対する当該変位操作が解除されるとき、オフ状態をとされる。
【００２３】
さらに、スイッチ部１４は、可動操作部１１に図１におけるＲに向かう向きの変位操作が加えられるとき、図１において一点鎖線により示される如く、変位操作に応じて基準位置から矢印ＤＳにより示される変位操作方向に沿って図１におけるＲに向かう向きに移動する可動操作部１１が、一対の固定接点１９Ａ及び１９Ｂから離隔した状態にある可動接触子２０に当接するとともに、可動接触子２０を押圧移動させて、一対の固定接点１９Ａ及び１９Ｂに接触させることになる位置に配されている。そして、一対の固定接点１９Ａ及び１９Ｂに接触せしめられた可動接触子２０は、可動操作部１１に対する変位操作が解除されて、可動操作部１１が矢印ＤＳにより示される変位操作方向に沿って図１におけるＬに向かう向きに移動するとき、一対の固定接点１９Ａ及び１９Ｂから離隔する状態に戻される。それにより、スイッチ部１４は、可動操作部１１に対して図１におけるＲに向かう向きの変位操作が加えられるとき、オン状態とされ、可動操作部１１に対する当該変位操作が解除されるとき、オフ状態とされる。
【００２４】
スイッチ部１２における一対の固定接点１５Ａ及び１５Ｂ，スイッチ部１３における一対の固定接点１７Ａ及び１７Ｂ、及び、スイッチ部１４における一対の固定接点１９Ａ及び１９Ｂは、回路部２１に接続されている。そして、スイッチ部１２，１３及び１４の夫々は、上述の如くにオフ状態とオン状態とを選択的にとるオン・オフ制御が行われ、それにより回路部２１の状態を変化させる。
【００２５】
このような図１に示される例にあっては、３個のスイッチ部１２，１３及び１４の各々のオン・オフ制御が、１個の可動操作部１１が操作されることにより行われ、３個のスイッチ部１２，１３及び１４が全てオフ状態とされる状態と、３個のスイッチ部１２，１３及び１４のうちのいずれか１個のみがオン状態とされる状態とがとられる。その際、可動操作部１１に加えられる操作は、単純な押圧操作もしくは押圧操作方向に実質的に直交する方向における変位操作で足りる。従って、可動操作部１１に対する誤操作を生じ難い比較的簡単な操作により、３個のスイッチ部１２，１３及び１４の夫々にオン状態とオフ状態とを選択的にとる動作を的確に行わせることができる。
【００２６】
なお、図１に示される例にあっては、３個のスイッチ部１２，１３及び１４の各々が、可動操作部１１に押圧操作もしくは押圧操作方向に実質的に直交する方向における変位操作が加えられるときオン状態とされ、可動操作部１１に対する押圧操作もしくは変位操作が解除されるときオフ状態とされているが、これらのスイッチ部１２，１３及び１４の夫々に代えて、可動操作部１１に押圧操作もしくは押圧操作方向に実質的に直交する方向における変位操作が加えられるときオフ状態とされ、可動操作部１１に対する押圧操作もしくは変位操作が解除されるときオン状態とされるスイッチ部が用いられてもよい。
【００２７】
図２は、本願の特許請求の範囲における請求項１から請求項４までのいずれかに記載された発明に係る多機能操作装置に関連する多機能操作装置の他の例を模型化して示す。斯かる図２に示される例も、例えば、ＶＴＲに対する遠隔制御を行うための遠隔制御操作装置に適用される。
【００２８】
図２に示される例にあっては、可動操作部３１が備えられており、この可動操作部３１は、押圧操作されることによって矢印ＤＰにより示される方向に移動するとともに、押圧操作方向に実質的に直交する方向に変位操作されることによって矢印ＤＳにより示される方向に移動する。即ち、矢印ＤＰは、可動操作部３１についての押圧操作方向を示しており、また、矢印ＤＳは、可動操作部１１についての押圧操作方向に実質的に直交する変位操作方向を示しているのである。
【００２９】
可動操作部３１には、基準位置が設定されていて、図２において実線により示される位置が基準位置である。そして、可動操作部３１は、それに対する押圧操作が行われるとき、基準位置から矢印ＤＰにより示される押圧操作方向に沿ってＤに向かう向きに移動し、その後、それに対する押圧操作が解除されると、基準位置から移動した位置より矢印ＤＰにより示される押圧操作方向に沿ってＵに向かう向きに移動して、基準位置に戻る。
【００３０】
また、可動操作部３１は、それに対する変位操作が行われるとき、基準位置から矢印ＤＳにより示される変位操作方向に沿ってＬに向かう向きに移動し、その後、それに対する変位操作が解除されると、基準位置から移動した位置より矢印ＤＳにより示される変位操作方向に沿ってＲに向かう向きに移動して基準位置に戻る状態と、基準位置から矢印ＤＳにより示される変位操作方向に沿ってＲに向かう向きに移動し、その後、それに対する変位操作が解除されると、基準位置から移動した位置より矢印ＤＳにより示される変位操作方向に沿ってＬに向かう向きに移動して基準位置に戻る状態とを、選択的にとる。
【００３１】
さらに、可動操作部３１は、それに対する押圧操作が行われたもとで変位操作が行われることにより、基準位置から矢印ＤＰにより示される押圧操作方向に沿ってＤに向かう向きに移動したもとで、矢印ＤＳにより示される変位操作方向に沿ってＬに向かう向きに移動し、その後、それに対する押圧操作が行われたもとでの変位操作が解除されると、矢印ＤＳにより示される変位操作方向に沿ってＲに向かう向きに移動して、基準位置から矢印ＤＰにより示される押圧操作方向に沿ってＤに向かう向きに移動した位置に戻る状態と、矢印ＤＳにより示される変位操作方向に沿ってＲに向かう向きに移動し、その後、それに対する押圧操作が行われたもとでの変位操作が解除されると、矢印ＤＳにより示される変位操作方向に沿ってＬに向かう向きに移動して、基準位置から矢印ＤＰにより示される押圧操作方向に沿ってＤに向かう向きに移動した位置に戻る状態とを、選択的にとる。
【００３２】
また、図２に示される例にあっては、可動操作部３１に関連して配された３個のスイッチ部３２，３３及び３４が備えられている。スイッチ部３２は、一対の固定接点３５Ａ及び３５Ｂと可動接触子３６とを有しており、また、スイッチ部３３は、一対の固定接点３７Ａ及び３７Ｂと可動接触子３８とを有しており、さらに、スイッチ部３４は、一対の固定接点３９Ａ及び３９Ｂと可動接触子４０とを有している。
【００３３】
スイッチ部３２は、可動操作部３１に押圧操作が加えられるとき、図２において一点鎖線により示される如く、押圧操作に応じて基準位置から矢印ＤＰにより示される押圧操作方向に沿ってＤに向かう向きに移動する可動操作部３１が、一対の固定接点３５Ａ及び３５Ｂから離隔した状態にある可動接触子３６に当接するとともに、可動接触子３６を押圧移動させて、一対の固定接点３５Ａ及び３５Ｂに接触させることになる位置に配されている。そして、一対の固定接点３５Ａ及び３５Ｂに接触せしめられた可動接触子３６は、可動操作部３１に対する押圧操作が解除されて、可動操作部３１が矢印ＤＰにより示される押圧操作方向に沿ってＵに向かう向きに移動するとき、一対の固定接点３５Ａ及び３５Ｂから離隔する状態に戻される。それにより、スイッチ部３２は、可動操作部３１に押圧操作が加えられるとき、オン状態とされ、可動操作部３１に対する当該押圧操作が解除されるとき、オフ状態とされる。
【００３４】
スイッチ部３３は、可動操作部３１にＬに向かう向きの変位操作が加えられるとき、図２において一点鎖線により示される如く、変位操作に応じて基準位置から矢印ＤＳにより示される変位操作方向に沿ってＬに向かう向きに移動する可動操作部３１が、一対の固定接点３７Ａ及び３７Ｂから離隔した状態にある可動接触子３８に当接するとともに、可動接触子３８を押圧移動させて、一対の固定接点３７Ａ及び３７Ｂに接触させることになる位置に配されている。そして、一対の固定接点３７Ａ及び３７Ｂに接触せしめられた可動接触子３８は、可動操作部３１に対する変位操作が解除されて、可動操作部３１が矢印ＤＳにより示される変位操作方向に沿ってＲに向かう向きに移動するとき、一対の固定接点３７Ａ及び３７Ｂから離隔する状態に戻される。それにより、スイッチ部３３は、可動操作部３１に対してＬに向かう向きの変位操作が加えられるとき、オン状態とされ、可動操作部３１に対する当該変位操作が解除されるとき、オフ状態をとされる。
【００３５】
スイッチ部３４は、可動操作部３１にＲに向かう向きの変位操作が加えられるとき、図２において一点鎖線により示される如く、変位操作に応じて基準位置から矢印ＤＳにより示される変位操作方向に沿ってＲに向かう向きに移動する可動操作部３１が、一対の固定接点３９Ａ及び３９Ｂから離隔した状態にある可動接触子４０に当接するとともに、可動接触子４０を押圧移動させて、一対の固定接点３９Ａ及び３９Ｂに接触させることになる位置に配されている。そして、一対の固定接点３９Ａ及び３９Ｂに接触せしめられた可動接触子４０は、可動操作部３１に対する変位操作が解除されて、可動操作部３１が矢印ＤＳにより示される変位操作方向に沿ってＬに向かう向きに移動するとき、一対の固定接点３９Ａ及び３９Ｂから離隔する状態に戻される。それにより、スイッチ部３４は、可動操作部３１に対してＲに向かう向きの変位操作が加えられるとき、オン状態とされ、可動操作部３１に対する当該変位操作が解除されるとき、オフ状態とされる。
【００３６】
上述の如くに配されたスイッチ部３２，３３及び３４を有する図２に示される例においては、可動操作部３１に対して押圧操作が行われるとともに、それに加えて、Ｌに向かう向きの変位操作が行われると、可動操作部３１が、先ず、図２において一点鎖線により示される如くの、基準位置から矢印ＤＰにより示される押圧操作方向に沿ってＤに向かう向きに移動した位置をとり、続いて、図２において二点鎖線により示される如くの、その位置から矢印ＤＳにより示される変位操作方向に沿ってＬに向かう向きに移動した位置をとる。
【００３７】
このとき、可動操作部３１は、先ず、スイッチ部３２における一対の固定接点３５Ａ及び３５Ｂから離隔した状態にある可動接触子３６に当接するとともに、可動接触子３６を押圧移動させて、一対の固定接点３５Ａ及び３５Ｂに接触させる。次に、スイッチ部３２を可動接触子３６が一対の固定接点３５Ａ及び３５Ｂに接触した状態に維持したもとで、スイッチ部３３における一対の固定接点３７Ａ及び３７Ｂから離隔した状態にある可動接触子３８に当接するとともに、可動接触子３８を押圧移動させて、一対の固定接点３７Ａ及び３７Ｂに接触させる。それにより、スイッチ部３２及びスイッチ部３３の両者がオン状態とされる。
【００３８】
その後、可動操作部３１に対する押圧操作が行われたもとでのＬに向かう向きの変位操作が解除されると、可動操作部３１が、図２において一点鎖線により示される如くの、基準位置から矢印ＤＰにより示される押圧操作方向に沿ってＤに向かう向きに移動した位置に戻される。それにより、スイッチ部３２はオン状態に維持されるが、スイッチ部３３における一対の固定接点３７Ａ及び３７Ｂに接触していた可動接触子３８が、一対の固定接点３７Ａ及び３７Ｂから離隔する状態に戻され、スイッチ部３３がオフ状態とされる。
【００３９】
続いて、可動操作部３１に対する押圧操作が解除されると、可動操作部３１が基準位置に戻される。それにより、スイッチ部３２における一対の固定接点３５Ａ及び３５Ｂに接触していた可動接触子３６が、一対の固定接点３５Ａ及び３５Ｂから離隔する状態に戻され、スイッチ部３２がオフ状態とされる。
【００４０】
また、可動操作部３１に対して押圧操作が行われるとともに、それに加えて、Ｒに向かう向きの変位操作とが行われると、可動操作部３１が、先ず、図２において一点鎖線により示される如くの、基準位置から矢印ＤＰにより示される押圧操作方向に沿ってＤに向かう向きに移動した位置をとり、続いて、図２において二点鎖線により示される如くの、その位置から矢印ＤＳにより示される変位操作方向に沿ってＲに向かう向きに移動した位置をとる。
【００４１】
このとき、可動操作部３１は、先ず、スイッチ部３２における一対の固定接点３５Ａ及び３５Ｂから離隔した状態にある可動接触子３６に当接するとともに、可動接触子３６を押圧移動させて、一対の固定接点３５Ａ及び３５Ｂに接触させる。次に、スイッチ部３２を可動接触子３６が一対の固定接点３５Ａ及び３５Ｂに接触した状態に維持したもとで、スイッチ部３４における一対の固定接点３９Ａ及び３９Ｂから離隔した状態にある可動接触子４０に当接するとともに、可動接触子４０を押圧移動させて、一対の固定接点３９Ａ及び３９Ｂに接触させる。それにより、スイッチ部３２及びスイッチ部３４の両者がオン状態とされる。
【００４２】
その後、可動操作部３１に対する押圧操作が行われたもとでのＲに向かう向きの変位操作が解除されると、可動操作部３１が、図２において一点鎖線により示される如くの、基準位置から矢印ＤＰにより示される押圧操作方向に沿ってＤに向かう向きに移動した位置に戻される。それにより、スイッチ部３２はオン状態に維持されるが、スイッチ部３４における一対の固定接点３９Ａ及び３９Ｂに接触していた可動接触子４０が、一対の固定接点３９Ａ及び３９Ｂから離隔する状態に戻され、スイッチ部３４がオフ状態とされる。
【００４３】
続いて、可動操作部３１に対する押圧操作が解除されると、可動操作部３１が基準位置に戻される。それにより、スイッチ部３２における一対の固定接点３５Ａ及び３５Ｂに接触していた可動接触子３６が、一対の固定接点３５Ａ及び３５Ｂから離隔する状態に戻され、スイッチ部３２がオフ状態とされる。
【００４４】
スイッチ部３２における一対の固定接点３５Ａ及び３５Ｂ，スイッチ部３３における一対の固定接点３７Ａ及び３７Ｂ、及び、スイッチ部３４における一対の固定接点３９Ａ及び３９Ｂは、回路部４１に接続されている。そして、スイッチ部３２，３３及び３４の夫々は、上述の如くにオフ状態とオン状態とを選択的にとるオン・オフ制御が行われ、それにより回路部４１の状態を変化させる。
【００４５】
このような図２に示される例にあっては、３個のスイッチ部３２，３３及び３４の各々のオン・オフ制御が、１個の可動操作部３１が操作されることにより行われ、３個のスイッチ部３２，３３及び３４が全てオフ状態とされる状態，３個のスイッチ部３２，３３及び３４のうちのいずれか１個のみがオン状態とされる状態、及び、３個のスイッチ部３２，３３及び３４のうちのスイッチ部３２及び３３もしくはスイッチ部３２及び３４がオン状態とされる状態が選択的にとられる。その際、可動操作部３１に加えられる操作は、単純な押圧操作，押圧操作方向に実質的に直交する方向における変位操作、もしくは、押圧操作がなされたもとでの押圧操作方向に実質的に直交する方向における変位操作で足りる。従って、可動操作部３１に対する誤操作を生じ難い比較的簡単な操作により、３個のスイッチ部３２，３３及び３４の夫々にオン状態とオフ状態とを選択的にとる動作を的確に行わせることができる。
【００４６】
なお、図２に示される例にあっては、３個のスイッチ部３２，３３及び３４の各々が、可動操作部３１に押圧操作，押圧操作方向に実質的に直交する方向における変位操作、もしくは、押圧操作がなされたもとでの押圧操作方向に実質的に直交する方向における変位操作が加えられるときオン状態とされ、可動操作部３１に対する押圧操作，変位操作もしくは押圧操作がなされたもとでの変位操作が解除されるときオフ状態とされているが、これらのスイッチ部３２，３３及び３４の夫々に代えて、可動操作部３１に押圧操作，押圧操作方向に実質的に直交する方向における変位操作、もしくは、押圧操作がなされたもとでの押圧操作方向に実質的に直交する方向における変位操作が加えられるときオフ状態とされ、可動操作部１１に対する押圧操作，変位操作もしくは押圧操作がなされたもとでの変位操作が解除されるときオン状態とされるスイッチ部が用いられてもよい。
【００４７】
図３は、本願の特許請求の範囲における請求項１から請求項４までのいずれかに記載された発明に係る多機能操作装置の一例を模型化して示す。斯かる図３に示される例も、例えば、ＶＴＲに対する遠隔制御を行うための遠隔制御操作装置に適用される。
【００４８】
図３に示される例においても、図１に示される例に備えられるものと同じ可動操作部１１及びスイッチ部１２，１３及び１４が備えられていて、それらは図１と共通の符号が付されて示されており、各々についての重複説明は省略される。
【００４９】
図３に示される例にあっては、可動操作部１１及びスイッチ部１２，１３及び１４に加えて、さらに２個のスイッチ部２３及び２４が備えられている。スイッチ部２３は、一対の固定接点２５Ａ及び２５Ｂと可動接触子２６とを有しており、また、スイッチ部２４は、一対の固定接点２７Ａ及び２７Ｂと可動接触子２８とを有している。
【００５０】
スイッチ部２３は、可動操作部１１に押圧操作が加えられたもとで、さらに、図３におけるＬに向かう向きの変位操作が加えられるとき、図３において一点鎖線により示される如く、押圧操作が加えられたもとでの変位操作に応じて基準位置から矢印ＤＳにより示される変位操作方向に沿って図３におけるＬに向かう向きに移動する可動操作部１１が、一対の固定接点２５Ａ及び２５Ｂから離隔した状態にある可動接触子２６に当接するとともに、可動接触子２６を押圧移動させて、一対の固定接点２５Ａ及び２５Ｂに接触させることになる位置に配されている。そして、一対の固定接点２５Ａ及び２５Ｂに接触せしめられた可動接触子２６は、可動操作部１１に対する押圧操作が加えられたもとでの図３におけるＬに向かう向きの変位操作が解除されて、可動操作部１１が矢印ＤＳにより示される変位操作方向に沿って図３におけるＲに向かう向きに移動するとき、一対の固定接点２５Ａ及び２５Ｂから離隔する状態に戻される。それにより、スイッチ部２３は、可動操作部１１に対して押圧操作が加えられたもとで図３におけるＬに向かう向きの変位操作が加えられるとき、オン状態とされ、可動操作部１１に対する押圧操作が加えられたもとでの図３におけるＬに向かう向きの変位操作が解除されるとき、オフ状態とされる。
【００５１】
また、スイッチ部２４は、可動操作部１１に押圧操作が加えられたもとで、さらに、図３におけるＲに向かう向きの変位操作が加えられるとき、図３において一点鎖線により示される如く、押圧操作が加えられたもとでの変位操作に応じて基準位置から矢印ＤＳにより示される変位操作方向に沿って図３におけるＲに向かう向きに移動する可動操作部１１が、一対の固定接点２７Ａ及び２７Ｂから離隔した状態にある可動接触子２８に当接するとともに、可動接触子２８を押圧移動させて、一対の固定接点２７Ａ及び２７Ｂに接触させることになる位置に配されている。そして、一対の固定接点２７Ａ及び２７Ｂに接触せしめられた可動接触子２８は、可動操作部１１に対する押圧操作が加えられたもとでの図３におけるＲに向かう向きの変位操作が解除されて、可動操作部１１が矢印ＤＳにより示される変位操作方向に沿って図３におけるＬに向かう向きに移動するとき、一対の固定接点２７Ａ及び２７Ｂから離隔する状態に戻される。それにより、スイッチ部２４は、可動操作部１１に対して押圧操作が加えられたもとで図３におけるＲに向かう向きの変位操作が加えられるとき、オン状態とされ、可動操作部１１に対する押圧操作が加えられたもとでの図３におけるＲに向かう向きの変位操作が解除されるとき、オフ状態とされる。
【００５２】
スイッチ部１２における一対の固定接点１５Ａ及び１５Ｂ，スイッチ部１３における一対の固定接点１７Ａ及び１７Ｂ，スイッチ部１４における一対の固定接点１９Ａ及び１９Ｂ，スイッチ部２３における一対の固定接点２５Ａ及び２５Ｂ、及び、スイッチ部２４における一対の固定接点２７Ａ及び２７Ｂは、回路部２９に接続されている。そして、スイッチ部１２，１３，１４，２３及び２４の夫々は、上述の如くにオフ状態とオン状態とを選択的にとるオン・オフ制御が行われ、それにより回路部２９の状態を変化させる。
【００５３】
このような図３に示される例にあっては、５個のスイッチ部１２，１３，１４，２３及び２４の各々のオン・オフ制御が、１個の可動操作部１１が操作されることにより行われ、５個のスイッチ部１２，１３，１４，２３及び２４が全てオフ状態とされる状態と、５個のスイッチ部１２，１３，１４，２３及び２４のうちのいずれか１個のみがオン状態とされる状態と、５個のスイッチ部１２，１３，１４，２３及び２４のうちのスイッチ部１２及びスイッチ部２３、もしくは、スイッチ部１２及びスイッチ部２４がオン状態とされる状態がとられる。その際可動操作部１１に加えられる操作は、単純な押圧操作，押圧操作方向に実質的に直交する方向における変位操作、もしくは、押圧操作がなされたもとでの押圧操作方向に実質的に直交する方向における変位操作で足りる。従って、可動操作部１１に対する誤操作を生じ難い比較的簡単な操作により、５個のスイッチ部１２，１３，１４，２３及び２４の夫々にオン状態とオフ状態とを選択的にとる動作を的確に行わせることができる。
【００５４】
なお、図３に示される例にあっては、５個のスイッチ部１２，１３，１４，２３及び２４の各々が、可動操作部１１に押圧操作，押圧操作方向に実質的に直交する方向における変位操作、もしくは、押圧操作がなされたもとでの押圧操作方向に実質的に直交する方向における変位操作が加えられるときオン状態とされ、可動操作部１１に対する押圧操作，変位操作もしくは押圧操作がなされたもとでの変位操作が解除されるときオフ状態とされているが、これらのスイッチ部１２，１３，１４，２３及び２４の夫々に代えて、可動操作部１１に押圧操作，押圧操作方向に実質的に直交する方向における変位操作、もしくは、押圧操作がなされたもとでの押圧操作方向に実質的に直交する方向における変位操作が加えられるときオフ状態とされ、可動操作部１１に対する押圧操作，変位操作もしくは押圧操作がなされたもとでの変位操作が解除されるときオン状態とされるスイッチ部が用いられてもよい。
【００５５】
【発明の効果】
以上の説明から明らかな如く、本願の特許請求の範囲における請求項１から請求項４までのいずれかに記載された発明に係る多機能操作装置にあっては、１個の可動操作部を用いて少なくとも第１，第２及び第３のスイッチ部の夫々についてのオン・オフ制御を行うことができ、第１〜第３のスイッチ部の各々が、それに対するオン・オフ制御に応じて、第１〜第３のスイッチ部が接続された回路部に状態変化を生じさせる。そして、第１〜第３のスイッチ部の夫々についてのオン・オフ制御を行うに際しての１個の可動操作部についての操作は、可動操作部に対する押圧操作と押圧操作方向に実質的に直交する方向への変位操作と押圧操作がなされたもとでの押圧操作方向に実質的に直交する方向への変位操作とで済み、従って、可動操作部に対する誤操作を生じ難い比較的簡単な操作により、第１〜第３のスイッチ部の夫々にオン状態とオフ状態とを選択的にとる動作を的確に行わせることができる。
【００５６】
特に、本願の特許請求の範囲における請求項３に記載された発明に係る多機能操作装置にあっては、１個の可動操作部を用いて第１，第２，第３及び第４のスイッチ部の夫々についてのオン・オフ制御を行うことができ、第１〜第４のスイッチ部の各々が、それに対するオン・オフ制御に応じて、第１〜第４のスイッチ部が接続された回路部に状態変化を生じさせる。そして、第１〜第４のスイッチ部の夫々についてのオン・オフ制御を行うに際しての１個の可動操作部についての操作は、可動操作部に対する押圧操作と押圧操作方向に直交する方向における第１の向きの変位操作と押圧操作方向に実質的に直交する方向における第２の向きの変位操作と押圧操作がなされたもとでの押圧操作方向に実質的に直交する方向への変位操作とで済み、従って、可動操作部に対する誤操作を生じ難い比較的簡単な操作により、第１〜第４のスイッチ部の夫々にオン状態とオフ状態とを選択的にとる動作を的確に行わせることができる。
【００５７】
また、本願の特許請求の範囲における請求項４に記載された発明に係る多機能操作装置にあっては、１個の可動操作部を用いて第１，第２，第３，第４及び第５のスイッチ部の夫々についてのオン・オフ制御を行うことができ、第１〜第５のスイッチ部の各々が、それに対するオン・オフ制御に応じて、第１〜第５のスイッチ部が接続された回路部に状態変化を生じさせる。そして、第１〜第５のスイッチ部の夫々についてのオン・オフ制御を行うに際しての１個の可動操作部についての操作は、可動操作部に対する押圧操作と押圧操作方向に実質的に直交する方向における第１の向きの変位操作と押圧操作方向に実質的に直交する方向における第２の向きの変位操作と押圧操作がなされたもとでの押圧操作方向に実質的に直交する方向における第１の向きの変位操作と押圧操作がなされたもとでの押圧操作方向に実質的に直交する方向における第２の向きの変位操作とで済み、従って、可動操作部に対する誤操作を生じ難い比較的簡単な操作により、第１〜第５のスイッチ部の夫々にオン状態とオフ状態とを選択的にとる動作を的確に行わせることができる。
【図面の簡単な説明】
【図１】  本願の特許請求の範囲における請求項１から請求項４までのいずれかに記載された発明に係る多機能操作装置に関連する多機能操作装置の一例を模型化して示す構成図である。
【図２】  本願の特許請求の範囲における請求項１から請求項４までのいずれかに記載された発明に係る多機能操作装置に関連する多機能操作装置の他の例を模型化して示す構成図である。
【図３】  本願の特許請求の範囲における請求項１から請求項４までのいずれかに記載された発明に係る多機能操作装置の一例を模型化して示す構成図である。
【符号の説明】
１１  可動操作部      １２，１３，１４，２３，２４  スイッチ部      １５Ａ，１５Ｂ，１７Ａ，１７Ｂ，１９Ａ，１９Ｂ，２５Ａ，２５Ｂ，２７Ａ，２７Ｂ  固定接点      １６，１８，２０，２６，２８  可動接触子      ２９  回路部
【図１】
0003932607.tif 000002
【図２】
0003932607.tif 000003
【図３】
0003932607.tif 000004